(57)【特許請求の範囲】
【請求項１】
無線周波数（ＲＦ）信号を受けて、所望のＲＦ成分のみを通過させ、イメージ信号を含む他の周波数成分を反射する第１のフィルタ（１）と、
局部発振器（ＬＯ）からのＬＯ信号が入力されるＬＯ入力（６ｍ）、前記ＲＦ成分が入力されるＲＦ入力（６ｌ）、及び、このＲＦ成分と前記ＬＯ信号とに対応する中間周波数（ＩＦ）信号及び前記イメージ信号が出力される、ＩＦ出力（６ｎ）を備えたバラン・ミキシング素子部（６）と、
前記ＩＦ出力から出力された前記ＩＦ信号及び前記イメージ信号から所望のＩＦ成分のみを通過させ、前記イメージ信号を含む他の周波数成分を反射する第２のフィルタ（４）と
を具備するイメージエンハンストミキサ回路において、
前記ＩＦ出力と前記第２のフィルタとの間、又は、前記第１のフィルタと前記ＲＦ入力との間に接続され、前記ＩＦ信号及び前記イメージ信号の位相を調整するための位相変化手段（３）を備えたことを特徴とするイメージエンハンストミキサ回路。
【請求項２】
前記位相変化手段は、前記イメージエンハンストミキサ回路の損失が最小となるように、通過する信号の位相が調整されている、
請求項１に記載のイメージエンハンストミキサ回路。
【請求項３】
前記位相変化手段は、前記ＩＦ信号の歪が最小となるように、通過する信号の位相が調整されている、
請求項１に記載のイメージエンハンストミキサ回路。
【請求項４】
前記位相変化手段はフェーズシフタ（３）である、請求項１乃至３のいずれかに記載のイメージエンハンストミキサ回路。
【請求項５】
前記位相変化手段は導体片（６ｆ、６ｉ）及び／又は電波吸収体（６ｇ、６ｈ）である、請求項１乃至３のいずれかに記載のイメージエンハンストミキサ回路。
【請求項６】
前記バラン・ミキシング素子部は、前記ＬＯ信号を不平衡状態から平衡状態に変換する第１のバラン回路（６ａ）をさらに備えたシングルバランス型である、請求項１乃至５のいずれかに記載のイメージエンハンストミキサ回路。
【請求項７】
前記バラン・ミキシング素子部は、前記ＲＦ信号を不平衡状態から平衡状態に変換するとともに前記ＩＦ信号を平衡状態から不平衡状態に変換する第２のバラン回路（６ｂ）をさらに備えたダブルバランス型である、請求項６に記載のイメージエンハンストミキサ回路。
【請求項８】
前記第１のフィルタは低域通過フィルタ（１ａ）と帯域阻止フィルタ（１ｂ）から構成されるフィルタである、請求項１乃至７のいずれかに記載のイメージエンハンストミキサ回路。
【請求項９】
前記第２のフィルタは帯域通過フィルタである、請求項１乃至８のいずれかに記載のイメージエンハンストミキサ回路。
【発明の詳細な説明】
【技術分野】
【０００１】
本発明は、ミキサ回路に関する発明であり、特に、イメージエンハンストミキサ回路に関する。なお、ミキサ回路は周波数混合回路、又は周波数変換回路とも称される。
【背景技術】
【０００２】
ミキサ回路では、ラジオ周波数（ＲＦ）と局部発振器（ＬＯ）周波数との差周波の信号成分と和周波の信号成分が同時に発生するが、一般的な利用形態ではどちらか一方の信号成分のみが中間周波数（ＩＦ）信号として使用され、他の信号成分は終端抵抗で終端され、使用されない。
【０００３】
さらにまた、ミキサ回路では、ＬＯ周波数の２倍の周波数とＲＦとの差周波数成分を持つイメージ信号も発生する（イメージ信号の定義として上述の使用されない和周波数成分又は差周波数成分を含める場合もあるが、本明細書ではＬＯ周波数の２倍の周波数とＲＦとの差周波数成分をイメージ信号と定義する）。多くのミキサ回路では、このイメージ信号も終端抵抗で終端される。しかしながら、イメージ信号をフィルタ等で反射させてバラン（Ｂａｌｕｎ）側に戻すことによりミキサ性能を向上させようとするミキサ回路があり、イメージエンハンスト方式のミキサ回路と呼ばれている（例えば、非特許文献１参照）。
【非特許文献１】Trace Phase States To Check Mixer Designs, Ben R. Hallford, Microwaves, June 1980, pp. 52-60.  図８は、従来のイメージエンハンスト方式ミキサ回路（以下、イメージエンハンストミキサ回路と記す）の概略図である。
【０００４】
このイメージエンハンストミキサ回路は、アンプ（５）と、第１のフィルタ（１）と、バラン・ミキシング素子部（６）と、第２のフィルタ（４）とから構成されている。
【０００５】
アンプ５は、ＬＯ信号を増幅する。
【０００６】
第１のフィルタ１は入力されたＲＦ信号の所望のＲＦ周波数成分のみを通過させ、他の周波数成分を遮断する。
【０００７】
バラン・ミキシング素子部６は、ＬＯ信号、ＲＦ信号、及びＩＦ信号の平衡／不平衡変換を行うとともに、ＬＯ信号とＲＦ信号を混合してＩＦ信号を生成する。このバラン・ミキシング素子部６は、第１のフィルタを通過したＲＦ信号が入力されるＲＦ入力と、アンプ５により増幅されたＬＯ信号が入力されるＬＯ入力と、イメージ信号を伴ったＩＦ信号が出力されるＩＦ出力と、ＬＯ入力から入力されるＬＯ信号の平衡／不平衡変換を行う第１のバラン（６ａ）と、ＲＦ入力とＩＦ出力から入出力される各信号の平衡／不平衡変換を行う第２のバラン（６ｂ）と、ＬＯ信号とＲＦ信号を混合してＩＦ信号を出力するミキシング素子（６ｃ）とから構成されている。
【０００８】
第２のフィルタ４は、イメージ信号を伴ったＩＦ信号の所望のＩＦ成分のみを通過させ、他の周波数成分を遮断する。
【０００９】
このイメージエンハンストミキサにおいてはＲＦ入力に第１のフィルタ１が、ＩＦ出力に第２のフィルタ４が配置されているため、ミキシング素子６ｃにより生成されたイメージ信号はフィルタ１及び４に反射され、ミキサ回路に再び戻される。従ってイメージ信号は最終的にＩＦ信号に変換されることになるので、先の終端方式のミキサよりも低損失のミキサ性能を得ることが可能になっている。
【発明の開示】
【発明が解決しようとする課題】
【００１０】
一般的に、イメージエンハンスト方式ミキサ回路は他の方式のミキサ回路と比較して、低損失特性を示し、広いダイナミックレンジに亘って動作可能である。その反面、イメージエンハンスト方式ミキサ回路はその長所が発揮される周波数帯域が比較的狭い範囲に限られていた。
【００１１】
そこで、本発明は上記問題点に鑑みてなされたものであって、広い周波数帯域に亘って低挿入損失特性を維持することができるイメージエンハンストミキサ回路を提供することを目的としている。
【課題を解決するための手段】
【００１２】
上記目的を達成するための第１の解決手段は、無線周波数（ＲＦ）信号を受けて、所望のＲＦ成分のみを通過させ、イメージ信号を含む他の周波数成分を反射する第１のフィルタ（１）と、局部発振器（ＬＯ）からのＬＯ信号が入力されるＬＯ入力、前記ＲＦ成分が入力されるＲＦ入力、及び、このＲＦ成分と前記ＬＯ信号とに対応する中間周波数（ＩＦ）信号及び前記イメージ信号が出力されるＩＦ出力を備えたバラン・ミキシング素子部（６）と、前記ＩＦ出力から出力された前記ＩＦ信号及び前記イメージ信号から所望のＩＦ成分のみを通過させ、前記イメージ信号を含む他の周波数成分を反射する第２のフィルタ（４）とを具備するイメージエンハンストミキサ回路において、前記ＩＦ出力と前記第２のフィルタとの間、又は、前記第１のフィルタと前記ＲＦ入力との間に接続され、前記ＩＦ信号及び前記イメージ信号の位相を調整するための位相変化手段（３）を備えたことを特徴とするものである。
【００１３】
また、第２の解決手段は、上記第１の解決手段において、前記位相変化手段は、前記イメージエンハンストミキサ回路の損失が最小となるように、通過する信号の位相が調整されているイメージエンハンストミキサ回路である。
【００１４】
また、第３の解決手段は、上記第１の解決手段において、前記位相変化手段は、前記ＩＦ信号の歪が最小となるように、通過する信号の位相が調整されているイメージエンハンストミキサ回路である。
また、第４の解決手段は、前記第１乃至第３のいずれかの解決手段において、前記位相変化手段はフェーズシフタ（３）である、イメージエンハンストミキサ回路である。
【００１５】
また、第５の解決手段は、前記第１乃至第３のいずれかの解決手段において、前記位相変化手段は導体片（６ｆ，６ｉ）及び／又は電波吸収体（６ｇ，６ｈ）である、イメージエンハンストミキサ回路である。
【００１６】
また、第６の解決手段は、前記第１乃至第５のいずれかの解決手段において、前記バラン・ミキシング素子部は、前記ＬＯ信号を不平衡状態から平衡状態に変換する第１のバラン回路（６ａ）をさらに備えたシングルバランス型である、イメージエンハンストミキサ回路である。
【００１７】
また、第７の解決手段は、前記第６の解決手段において、前記バラン・ミキシング素子部は、前記ＲＦ信号を不平衡状態から平衡状態に変換するとともに前記ＩＦ信号を平衡状態から不平衡状態に変換する第２のバラン回路（６ｂ）をさらに備えたダブルバランス型である、イメージエンハンストミキサ回路である。
【００１８】
また、第８の解決手段は、前記第１乃至第７のいずれかの解決手段において、前記第１のフィルタは低域通過フィルタ（１ａ）と帯域阻止フィルタ（１ｂ）から構成されるフィルタである、イメージエンハンストミキサ回路である。
【００１９】
また、第９の解決手段は、前記第１乃至第８のいずれかの解決手段において、前記第２のフィルタは帯域通過フィルタである、イメージエンハンストミキサ回路である。
【発明の効果】
【００２０】
イメージエンハンスト方式ミキサ回路では、バラン及びミキシング素子から各入出力に配置したフィルタまで実装上ある伝送距離が存在する。それらの伝送距離を広帯域の信号が伝送される場合各周波数における波長が異なるために位相の回り方も周波数毎で異なってしまう（以下、このことを位相の変動と呼ぶ）。この位相の変動により周波数毎のミキサ性能も変動してしまい性能が劣化する周波数ポイントが出てくる。そこで請求項１のイメージエンハンストミキサ回路によれば、位相変化手段によって位相の変動が補償されるので、広い周波数帯域に亘って低損失特性のイメージエンハンストミキサ回路が実現される。
【００２１】
さらにまた、ミキサ回路を構成する各部品はばらつきの少ないものを使用することは当然のこととしても、高い周波数帯においてはこれらのばらつきを皆無にすることは現実的には不可能である。請求項１のイメージエンハンストミキサ回路によれば、これらばらつきを含む部品で組立てられたミキサ回路の特性を調整することができる。
【００２２】
請求項２のイメージエンハンストミキサ回路によれば、ミキサ回路の損失が最小となるようにフェーズシフタが調整されるので、広い周波数帯域に亘って低損失（低挿入ロス）のイメージエンハンストミキサ回路が実現される。
【００２３】
請求項３のイメージエンハンストミキサ回路によれば、ミキサ回路の歪が最小となるようにフェーズシフタが調整されるので、広い周波数帯域に亘って歪の少ないイメージエンハンストミキサ回路が実現される。
【００２４】
請求項４のイメージエンハンストミキサ回路によれば、このミキサ回路を他の回路と結合した後でも容易に位相の変動を補償できる、広い周波数帯域に亘って低損失特性を維持しているイメージエンハンストミキサ回路が実現される。
【００２５】
請求項５のイメージエンハンストミキサ回路によれば、広い周波数帯域に亘って位相の変動が補償されるので、より広い周波数帯域に亘って低損失特性を維持しているイメージエンハンストミキサ回路が実現される。
【００２６】
請求項６のシングルバランス型イメージエンハンストミキサ回路によれば、広い周波数帯域に亘ってより低損失特性及び低歪特性を維持しているイメージエンハンストミキサ回路が実現される。
【００２７】
請求項７のダブルバランス型イメージエンハンストミキサ回路によれば、広い周波数帯域に亘ってさらに低損失特性及び低歪特性を維持しているイメージエンハンストミキサ回路が実現される。
【００２８】
請求項８のイメージエンハンストミキサ回路によれば、広い周波数帯域に亘って低損失特性を維持しているイメージエンハンストミキサ回路が実現される。
【００２９】
請求項９のイメージエンハンストミキサ回路によれば、広い周波数帯域に亘って低損失特性を維持しているイメージエンハンストミキサ回路が実現される。
【発明を実施するための最良の形態】
【００３０】
以下、本発明の実施の形態を図面を参照しながら具体的に説明する。
【実施例】
【００３１】
（第１の実施例）
図１は、本発明に係るイメージエンハンストミキサ回路の第１の実施例の概略ブロック図である。このイメージエンハンストミキサ回路は、アンプ５と、第１のフィルタ１と、バラン・ミキシング素子部６と、フェーズシフタ３と、第２のフィルタ４とから構成されている。
【００３２】
アンプ５は、ＬＯ信号を増幅する。本実施例では、ＲＦ入力が７．５ＧＨｚ、ＬＯ信号は周波数が１６．５ＧＨｚ、ＩＦ出力が９ＧＨｚのものを使用し、アンプ５としてゲインが２４ｄＢ、最大出力＋３４．５ｄＢｍのものを使用している。
【００３３】
第１のフィルタ１は入力されたＲＦ信号のＲＦ周波数成分のみを通過させ、他の周波数成分を遮断する。図１に示す実施の形態では、第１のフィルタ１は低域通過フィルタ１ａ及び帯域阻止フィルタ１ｂを組み合わせて構成されている。しかしながら、本発明はそのような２つのフィルタの、しかもこの順番の組み合わせに限定されず、順番を入れ替えても良いし、１つの帯域通過フィルタのみを使うことによって実施することも可能である。本実施例では、低域通過フィルタ１ａとしてカットオフ周波数が９ＧＨｚのものを、帯域阻止フィルタ１ｂとして阻止帯域の中心周波数が１１ＧＨｚのものを使用している。
【００３４】
バラン・ミキシング素子部６は、ＬＯ信号、ＲＦ信号、及びＩＦ信号の平衡／不平衡変換を行うとともに、ＬＯ信号とＲＦ信号を混合してＩＦ信号を生成する。このバラン・ミキシング素子部６は、第１のフィルタを通過したＲＦ信号が入力されるＲＦ入力と、アンプにより増幅されたＬＯ信号が入力されるＬＯ入力と、イメージ信号を含んだＩＦ信号が出力されるＩＦ出力と、ＬＯ入力から入力されるＬＯ信号の平衡／不平衡変換を行う第１のバラン６ａと、ＲＦ入力とＩＦ出力から入出力される各信号の平衡／不平衡変換を行う第２のバラン６ｂと、ＬＯ信号とＲＦ信号を混合してＩＦ信号を出力するミキシング素子６ｃとから構成されている。
【００３５】
第１のバラン６ａ及び第２のバラン６ｂは、ミキシング素子６ｃにダブルバランスミキシング動作をさせるもので、このバランの周波数特性、ＲＦ信号とＬＯ信号との間のアイソレーション（隔離）特性、変換された平衡信号の平衡度などはミキサ性能に大きな影響を与える。
【００３６】
本実施例では、第１のバラン６ａと、第２のバラン６ｂとしてスロット線路を利用した平面型のＭａｇｉｃ−Ｔ回路が用いられている。また、ミキシング素子６ｃは、図１に示すように同一種類の４個のダイオードをリング状に接続したものが用いられている。
【００３７】
フェーズシフタ３は、本願発明の位相変化手段を構成し、イメージ信号を含んだＩＦ信号の位相を調節するものであるが、その詳細は後述される。
【００３８】
第２のフィルタ４は、イメージ信号を含んだＩＦ信号のＩＦ成分のみを通過させ、他の周波数成分を遮断する。第１のフィルタ１及び第２のフィルタ４は、ミキシング素子６ｃによって生成されたイメージ信号を反射して再びミキシング素子６ｃに戻すはたらきをする。本実施例では第２のフィルタ４として帯域通過フィルタが用いられており、その中心周波数は９ＧＨｚ、周波数帯域幅は１００ＭＨｚである。なお、第２のフィルタ４として、帯域通過フィルタに替えて低域通過フィルタを用いてもよい。
【００３９】
以下に本実施例のミキサ回路の動作を詳細に説明する。ミキシング素子６ｃで生成されたＩＦ信号は、イメージ信号を伴ってＩＦ出力から出力される。ＩＦ出力から出力された信号はフェーズシフタ３を通過した後、第２のフィルタ４に入力されるが、イメージ信号は第２のフィルタ４の阻止域の周波数にあたるため、そこで反射される。なお、イメージ信号以外にも、LO信号そのものや、LO信号の高調波成分なども同様に反射されるが、これらの信号の振る舞いはイメージ信号の振る舞いと同様なので、以下ではイメージ信号の振る舞いについてのみ説明する。反射されたイメージ信号は第２のバラン６ｂに戻り、位相がそろっている場合はミキシング素子６ｃによりＩＦ信号に変換される。反射されたイメージ信号のうち位相がうまく合わない成分はＲＦ入力に向かう成分と、ＬＯ入力に向かう成分がある。ＲＦ入力に向かった成分は、第１のフィルタ１の阻止域にあたるため再び反射され、ミキシング素子６ｃに戻ってくる。ＬＯ入力に向かった成分は、アンプ５の出力インピーダンスにマッチングしていないためやはり反射され、再びミキシング素子６ｃに戻ってくる。これらの結果として、イメージ信号はイメージエンハンストミキサ回路のどの入出力からも出力されず、バラン・ミキシング素子部６に戻ってくることになる。
【００４０】
ここでフェーズシフタ３は、これらイメージ信号の位相を調節する役割を果たす。図２に本実施例で使用したフェーズシフタの構成図を示す。入力線路３１に入力された信号は、ブランチライン３３で２方向に分岐し、異なる遅延を与えられた後に合波されて出力線路３２に出力される。ここでブランチライン３３の４本の線路の線路長は全て所望の周波数に対応する波長の１／４となるように設定されている。電源３４によってブランチライン３３に印加する電圧Ｖを変化させると、可変容量ダイオード３５及び３６の容量が変化することにより、入出力間で位相が変化する。なお、本実施例のフェーズシフタ３は、図２のようなブランチライン３３を用いたものであるが、他の方式（ハイブリッド等）であってもよい。
【００４１】
次に、フェーズシフタ３の調整方法を説明する。図３に、ミキサの損失を周波数毎に測る測定系を示す。図３において制御装置７９はＧＰ−ＩＢ（Ｇｅｎｅｒａｌ  Ｐｕｒｐｏｓｅ  Ｉｎｔｅｒｆａｃｅ  Ｂｕｓ）ボードを搭載したパソコンによって構成され、信号発生器７１及び７２に対して測定用信号を出力させる。信号発生器７１はＲＦ信号に相当する信号を出力し、信号発生器７２はＬＯ信号に相当する信号を出力する。これら２つの信号は減衰器７４及び７５によって適切な信号レベルに調整された後に、測定対象物８０としてのミキサ回路に入力される。スペクトラムアナライザ７８もまた制御装置７９によって制御されて、測定対象物８０としてのミキサ回路の出力信号の信号強度を測定する。
【００４２】
次に、上述された測定系において、測定対象物７９として接続された図１のミキサ回路のフェーズシフタ３に印加する電圧Ｖを段階的に変化させながら、広い周波数帯域に亘ってミキサ損失が低く抑えるような電圧Ｖｘを探索する。このようにして電圧Ｖｘが探索されれば、測定されたミキサ回路に常に電圧Ｖｘが印加されるようにミキサ回路を設定する。以上の手順により、本実施例のミキサ回路が構成された。
【００４３】
なお、以上の実施例では広い周波数帯域に亘ってミキサ損失が低く抑えられるＶｘを１つに固定しているが、本発明の実施の形態はこれに限定されない。周波数帯域を複数の区間に分割し、分割した周波数帯域区間ごとにミキサ損失が低く抑えられるような電圧をそれぞれ探索し、実際にミキサ回路を使用する状況に応じてフェーズシフタに印加する電圧を可変とするようにミキサ回路を構成してもよい。
【００４４】
また、上述の電圧Ｖｘに代えて、以下のように、ＩＦ信号の歪が最小となるような電圧Ｖｙを探索してもよい。図４に、ミキサの歪を測定するための測定系を示す。信号発生器７１及び７３から出力された信号はハイブリッド８１で合波された後、ミキサに入力される。図４のその他の装置は図３と同じである。このような測定系において、フェーズシフタに印加する電圧Ｖを段階的に変化させながら、広い周波数帯域に亘ってミキサの出力信号の歪が小さくなるような電圧Ｖｙを探索する。このようにして電圧Ｖｙが探索されれば、測定されたミキサ回路に常に電圧Ｖｙが印加されるようにミキサ回路を設定する。以上の手順により、ミキサの歪を最小とするようなミキサ回路を構成することができる。
【００４５】
なお、本実施例ではフェーズシフタがＩＦ出力と第２のフィルタ４との間に挿入されているが、変形例として、第１のフィルタ１とＲＦ入力との間に挿入されてもよい。ただしこの場合、フェーズシフタはＲＦ周波数を中心として調整される。
【００４６】
（第２の実施例）
第１の実施例（図１）では位相変化手段としてフェーズシフタ３が用いられているが、これに代えて、バラン回路のＲＦ入力やＩＦ出力に固定のスタブ等を貼り付けてもよい。以下、スタブ等が貼り付けられたバラン回路を、スタブ貼付バラン回路ということにする。スタブ貼付バラン回路では貼付されたスタブ等によって特定の波長において位相の変化が発生するので、貼付されたスタブ等はフェーズシフタと機能的には等価である。すなわち、貼付されたスタブ等は位相変化手段の１実施例である。
【００４７】
図５に、このスタブ貼付バラン回路６ｊを用いた、本発明に係るイメージエンハンストミキサ回路の第２の実施例の概略ブロック図を示す。この実施例におけるスタブ貼付バラン回路６ｊは、ＩＦ出力からＩＦ信号を出力するためのＩＦ出力部を実装したダイプレクサ基板６ｄと、ＲＦ入力及びＩＦ出力を含むバラン回路を実装したバラン基板６ｅから構成されている。
【００４８】
ダイプレクサ基板６ｄのＩＦ出力部には０．５ｍｍ幅の金リボンスタブ６ｆが貼付されている。一方、バラン基板６ｅのＲＦ入力には金リボンスタブ６ｉが貼付されている。さらに、バラン基板６ｅには２個の磁性体電波吸収体６ｇ及び６ｈが貼付されている。
【００４９】
金リボンスタブ６ｆ及び６ｉ、磁性体電波吸収体６ｇ及び６ｈ（以下では、スタブ等と記載する）の貼付は、第１の実施例と同様に、図３に示されたような測定系を用いて調整される。ＲＦ信号の周波数が低いときや、ミキサ回路に要求される周波数帯域が狭い場合には、図３のような測定系を用いて調整する必要なく、コンピュータシミュレーション等によりスタブ等の貼付位置を理論的に導出してもよい。しかし高周波のＲＦ信号が入力される場合や、広帯域のミキサ回路が要求される場合には、回路の浮遊容量や浮遊インダクタンス等の影響により、理論的な導出は困難である。従って実際には、図３のような測定系を用いてミキサ回路を動作させながら、ミキサ回路の損失が低下する周波数を見つけ出し、その特性が向上するようにスタブ等を貼付していく。
【００５０】
これらスタブ等の位相変化手段の後段にはダイプレクサ（ｄｉｐｌｅｘｅｒ）６ｋが接続されている。このダイプレクサ６ｋは、所望のＩＦ信号は後段に通過させる一方、ＩＦ信号以外の周波数成分（イメージ信号やその他高調波等）は５０Ωの抵抗で終端させるように構成されている。これは一見イメージエンハンスト動作と相反するように見えるが、ミキシング素子部６からＲＦ入力側に向かったイメージ信号は第１の実施例と同じように第１のフィルタ１で反射されて再びミキシング素子部６に戻ってくるので、回路全体としてはやはりイメージエンハンストミキサ回路であるといえる。
【００５１】
また、ダイプレクサの後段には第２のフィルタとして、ＩＦ信号周波数を通過させる帯域通過フィルタ４１が接続されている。
【００５２】
第１の実施例では、特定の周波数に対して位相を合わせることはできるが、複数の周波数の位相を個別に調整することは困難である。これに対し、第２の実施例では、複数の周波数の位相を個別に調整することが可能である。
【００５３】
さらにまた、個々のミキサ回路について図３のような測定系を用いて特性を調整することは、ミキサ回路を構成する各部品に存在するばらつきを吸収する効果がある。
【００５４】
以上のようにして構成された、第２の実施例によるミキサ回路が示す損失特性の例を図６に示す。特に周波数が２〜４ＧＨｚ付近と５ＧＨｚ付近でミキサ損失特性が改善されていることがわかる。
【００５５】
また、第２の実施例によるミキサ回路が示す歪特性の例を図７に示す。図７の縦軸は３次歪のインターセプトポイントであり、この数値が大きいほど回路の歪特性は良い。位相変化手段によって多くの周波数ポイントで歪特性の改善がみられるとともに、位相変化手段のない回路で歪特性の悪かった周波数ポイントにおける改善効果が大きいことがわかる。例えば、3次歪のインターセプトポイントが３ｄＢ向上すると歪特性は６ｄＢ改善する。
【００５６】
ダイプレクサ基板６ｄに貼付された金リボンスタブ６ｆ及びバラン基板６ｅに貼付された金リボンスタブ６ｉは共に、特定の周波数における損失を改善する効果を有している。一方、バラン基板６ｅに貼付された２個の磁性体電波吸収体６ｇ及び６ｈは、特定の周波数における歪性能を改善する効果を有している。これらスタブ等を貼付することにより特定の周波数で損失が改善するのは、スタブによりイメージ信号またはＬＯ信号の高調波の位相が回りイメージエンハンスト効果が得られたためと考えられる。また、電波吸収体６ｇ及び６ｈを貼付することにより歪特性が改善するのは、バラン上を伝達される各種信号の位相が変わり、特定の周波数での歪特性が改善されたためと考えられる。
【００５７】
なお、本実施例では位相変化手段として金リボンスタブと磁性体電波吸収体を使用したが、本発明の位相変化手段はこのような形態に限られず、スタブと電波吸収体のどちらか一方のみでもよい。また、スタブは金リボンに限られず導体片であればよく、電波吸収体も磁性体に限られず電波を吸収する性質のある材料であればよい。
【００５８】
また、第１の実施例と同じように、ダイプレクサ６ｋに替えて第２のフィルタ４を用いても発明は成立する。ただしこの場合、発明者による実験では、図６のような損失特性を測定したところ、特性が改善している周波数がある一方で特性が極端に劣化する周波数も現れ、スタブ等による調整が困難であった。これは、第２のフィルタを用いてイメージ信号や他の高調波成分も全てミキシング素子部６に反射させた場合、位相の変動が強すぎてスタブ等による位相の変動の補償を困難にしているためと考えられる。一方、図５に示される第２の実施例では、第１のフィルタ１で反射されて戻ってくるイメージ信号等やダイプレクサ６ｋで吸収しきれず第２のフィルタ４１で反射して戻ってくるイメージ信号等の位相の変動を、スタブ等によって補償することが比較的容易であり、結果として使用周波数全般においてミキサとしての性能改善が示された。しかし発明者としては、何らかの方法で全ての周波数にわたって理想的に位相の変動を補償することができれば、ダイプレクサ６ｋに替えて第２のフィルタ４を用いたほうが、より特性の良い（すなわち、広い周波数に亘ってより低損失、あるいはより低歪の）イメージエンハンストミキサが実現できると考えている。
【００５９】
さらにまた、第１及び第２の実施例ではいずれも、第１のバラン回路６ａ及び第２のバラン回路６ｂを備えたダブルバランス型のイメージエンハンストミキサ回路であったが、本発明の実施例はダブルバランス型に限られず、第２のバラン回路６ｂを省略したシングルバランス型のイメージエンハンストミキサ回路や、さらに第１のバラン回路６ａも省略した不平衡型のイメージエンハンストミキサ回路であってもよい。
【００６０】
以上に説明したように、本発明の実施形態のイメージエンハンストミキサ回路は、位相変化手段によって位相の変動が調整されるので、広い周波数帯域に亘って低損失特性を有するイメージエンハンストミキサ回路が実現される。
【００６１】
さらにまた、イメージエンハンストミキサ回路を構成する各部品がばらつきを含んでいたとしても、そのようなばらつきを吸収するようにミキサ回路の特性を調整することができる。
【図面の簡単な説明】
【００６２】
【図１】本発明の第１の実施例に係るイメージエンハンストミキサ回路の概略ブロック図
【図２】本発明の第１の実施例に係るイメージエンハンストミキサ回路に用いられるフェーズシフタの構成図
【図３】ミキサ回路の損失を測定する測定系のブロック図
【図４】ミキサ回路の歪を測定する測定系のブロック図
【図５】本発明の第２の実施例に係るイメージエンハンストミキサ回路の概略ブロック図
【図６】本発明の第２の実施例に係るイメージエンハンストミキサ回路の損失特性
【図７】本発明の第２の実施例に係るイメージエンハンストミキサ回路の歪特性
【図８】イメージエンハンストミキサ回路の従来例
【符号の説明】
【００６３】
１    第１のフィルタ
１ａ  低域通過フィルタ
１ｂ  帯域阻止フィルタ
３    フェーズシフタ
３１  フェーズシフタの入力線路
３２  フェーズシフタの出力線路
３３  ブランチライン
３４  電源
３５、３６  可変容量ダイオード
４    第２のフィルタ（帯域通過フィルタ）
５    アンプ
６    バラン・ミキシング素子部
６ａ  第１のバラン回路
６ｂ  第２のバラン回路
６ｃ  ミキシング素子
６ｄ  ダイプレクサ基板
６ｅ  バラン基板
６ｆ、６ｉ  金リボンスタブ
６ｇ、６ｈ  電波吸収体
６ｊ  スタブ貼付バラン回路
６ｋ  ダイプレクサ
６ｌ  ＲＦ入力
６ｍ  ＬＯ入力
６ｎ  ＩＦ出力
７１〜７３  信号発生器
７４〜７７  減衰器
７８  スペクトラムアナライザ
７９  制御装置（ＧＰ−ＩＢボード搭載パソコン）
８０  測定対象物
８１  ハイブリッド
【図１】
0005047027.tif 000002
【図２】
0005047027.tif 000003
【図３】
0005047027.tif 000004
【図４】
0005047027.tif 000005
【図８】
0005047027.tif 000006
【図５】
0005047027.tif 000007
【図６】
0005047027.tif 000008
【図７】
0005047027.tif 000009